(57)【要約】      （修正有） 【課題】上皿上に盛りつけた殻付き食品を食するときに出る殻を的はずれすることなしに下皿内に落入させることができ、且つ輸送，保管効率にすぐれ、洗いやすくして洗い残し個所の生じない二重皿を提供する。【解決手段】上皿２の円形側壁の外側に外開き傾斜した横長の支え脚４と切欠部５を数個ずつ交互に設けて上皿２を下皿１内に各支え脚４により脚立て浮き入れするとともに各切欠部５と下皿１の側壁１ａとの間で横長でＶ形の斜面を有す数個の殻入れ口を形成して、上皿２上に盛りつける枝豆，ピスタチオ，落花生などの殻付き食品を食するときに出る殻を数個の殻入れ口より下皿１内にすべり落ちを含んで落入させることができ、しかも洗いやすい形状にしたことで洗い残し個所が生じないようにする。【選択図】図１
0003192086.tif 000002
【実用新案登録請求の範囲】
【請求項１】
上皿の側壁の外側に外開き傾斜した横長の支え脚と切欠部を数個ずつ交互に設けて上皿を下皿内に各支え脚により脚立て入れするとともに各切欠部と下皿の側壁との間で横長でＶ形の斜面を有す殻入れ口を形成して、上皿上に盛りつける枝豆，ピスタチオ，落花生などの殻付き食品を食するときに出る殻をＶ形斜面を有す数個の殻入れ口より下皿内に落入させるようにしたことを特徴とする殻入れ機能付きの二重皿。
【請求項２】
上皿に小孔または網目を多設して上皿にザルとしての機能を持たせる請求項１に記載の殻入れ機能付きの二重皿。
【請求項３】
下皿の側壁および上皿の支え脚をともに弯曲折畳み可能にした請求項１または２に記載の殻入れ機能付きの二重皿。
【請求項４】
下皿は上部の口縁に殻を入れやすくするカット部を設ける請求項1乃至３のいずれかに記載の殻入れ機能付きの二重皿。
【考案の詳細な説明】
【技術分野】
【０００１】
この考案は殻入れ機能付きの二重皿に関するものある。
【背景技術】
【０００２】
この種の二重皿として従来は図８に示すように、下皿の側面に張り出し部分を設けて、嵌め入れする上皿との間で張り出し形の殻入れ口を形成したものが市販されている。
【特許文献１】なし
【考案の開示】
【考案が解決しようとする課題】
【０００３】
しかしながら、従来の二重皿は下皿に側面張り出し部分があることと、下皿および上皿がともに固定型であって、折畳みができないために輸送，保管の効率が悪く、また洗う際も張り出した殻入れ口が障害して洗いづらく、洗い残し部分が生ずるなどの課題がある。
【課題を解決するための手段】
【０００４】
本考案は、上皿の側壁の外側に外開き傾斜した大きな支え脚と切欠部を数個ずつ交互に形成して、上皿を下皿内に脚立て入れするとともに、切欠部と下皿の側壁との間でＶ形を呈す数個の大きな殻入れ口ができるようにして、殻付き食品を食するときに出る殻をすべり落としを含んで下皿内に確実に落入するようにして、かかる課題を解決したのである。
【考案の効果】
【０００５】
本考案は各殻入れ口が大きくしかも入口が広いＶ形に形成したので、殻の下皿内への落とし入れがすべりを含んでスムースになり周囲に四散することがなくなるという効果を生ずる。
【０００６】
本考案の二重皿は、下皿上に上皿を脚立て乗せするという従来にない斬新な形にて提供することができ、しかも上皿は下皿上に脚立てして浮き上がることから、下皿との間で大きな隙間ができて殻をより多く収容することができるという効果を生ずる。
【０００７】
上皿は小孔または網目を多設することでザルとしての機能を持たせることができるという効果を生ずる。
【０００８】
下皿の側壁および上皿の支え脚はともに折畳むことで輸送，保管効率を向上するという効果を生ずる。
【０００９】
下皿はおよび上皿は従来のように外側に張り出す部分がないから洗いやすく、洗い残し個所が生じないという効果を生ずる。
【図面の簡単な説明】
【００１０】
【図１】本考案の第１実施例で、下皿と上皿を各別に示す斜視図
【図２】同、二重皿にした状態を示す斜視図
【図３】同、使用状態を示す縦断正面図
【図４】同、両皿をそれぞれ折畳んだ状態にて示す縦断正面図
【図５】同、上皿の支え脚と切欠部を波形円曲形に形成した例を示す斜視図
【図６】上皿に小孔または網目を多設した例を示す斜視図
【図７】下皿の上部口縁にカット部を設けた例を示す斜視図
【図８】従来の市販品を示す図
【考案を実施するための形態】
【００１１】
本考案は、上皿の側壁外に外開き傾斜した横長の支え脚と切欠部とを交互に数個ずつ設けて、上皿を下皿内に脚立て入れして、各切欠部と下皿の側壁との間でＶ形の斜面を有す横長の殻入れ口を形成するようにして二重皿を構成する。
【実施例１】
【００１２】
図１乃至図４は本考案の第１実施例であって、深皿形とする円形の下皿１と、下皿１内に入る大きさの円形の上皿２とからなり、上皿２は浅底形にして上部口縁３より外開き傾斜する横長の支え脚４と切欠部５を数個ずつ交互に設けてなる。
【００１３】
上皿２と下皿１は各別に並べるなどして料理等の盛りつけにて使用することができるが、下皿１上に上皿２を支え脚４にて浮かし支え立てすることで上皿２下に隙間ができる二重皿６にして使用することもできる。
【００１４】
この際支え脚４間の各切欠部５は下皿１の側壁１ａとの間でＶ形の斜面を有す横長の殻入れ口７を数個形成することとなる。
【００１５】
かくて上皿２上に盛りつけた枝豆，ピスタチオ，落花生などの殻付き食品Ｋを食するときに出る殻Ｋ１は各殻入れ口７よりすべりを含んで楽に下皿１内に落入させることができることになる。上皿２を下皿１上に浮かし立てすることで上皿２下には大きな隙間の殻溜め部８が形成されて大量の殻Ｋ１を収容し得るものとなる。
【００１６】
さらに図４に示すように下皿１の側壁１ａと上皿２の支え脚４はともに弯曲外折りして折畳むことができるので、輸送と保管の効率を向上させることができるものとなる。
【００１７】
なお上皿２の支え脚４と切欠部５は図５に示すように波形円曲形にて形成することもある。
【実施例２】
【００１８】
図６は本考案の第２実施例であって、上皿２に小孔９または網目１０を多設して上皿２にザルとしての機能を持たせるようにしたものである。
【実施例３】
【００１９】
図７は本考案の第３実施例であって、下皿１の上部口縁１ｂに殻入れ口７を拡げるためのカット部１１を設けたものである。
【００２０】
なお図示していないが本考案の二重皿は下皿，上皿とも円形以外に楕円形，四角形，六角形，八角形などの多角形にて形成することもできる。
【産業上の利用可能性】
【００２１】
本考案の二重皿は、上皿と下皿が重ねやすく、各殻入れ口が横長でＶ形のすべり斜面を有すことで、殻を下皿１内に楽に落入することができて、周囲に四散させることがなく、張り出し部分がないことで洗いやすく、洗い残しが生じない等多くの利点があることで広く利用されるものである。
【符号の説明】
【００２２】
１は下皿
１ａは下皿の側壁
１ｂは下皿の上部口縁
２は上皿
３は上皿の上部口縁
４は支え脚
５は切欠部
６は二重皿
７は殻入れ口
８は殻溜め部
９は小孔
１０は網目
１１はカット部
Ｋは殻付き食品
Ｋ１は殻
【図１】
0003192086.tif 000003
【図２】
0003192086.tif 000004
【図３】
0003192086.tif 000005
【図４】
0003192086.tif 000006
【図５】
0003192086.tif 000007
【図６】
0003192086.tif 000008
【図７】
0003192086.tif 000009
【図８】
0003192086.tif 000010